(57)【特許請求の範囲】
【請求項１】
吸入側と吐出側に消音器を設けた横置型送風機と、吐出側消音器の出側に設けられ吐出される空気流を垂直に導くエルボ部と、このエルボ部からの空気流を絞って均一流とするレデューサ部と、このレデューサ部の上部に設けられ上方への空気流により訓練者を浮遊させる訓練室と、この訓練室の上部に設けられ訓練室からの排気を大気中に放出する排気部と、を備えたことを特徴とする自由降下訓練用竪型風洞。
【請求項２】
前記排気部は、頂部が覆われ側面周囲より排気を放出するルーバを有することを特徴とする請求項１記載の自由降下訓練用竪型風洞。
【発明の詳細な説明】
【０００１】
【発明の属する技術分野】
本発明は、落下傘降下の訓練などのため、降下速度を模擬した風速で訓練者を空中に浮遊させる自由降下訓練用竪型風洞に関する。
【０００２】
【従来の技術】
落下傘による降下では、最初から開傘紐を引いて降下する場合もあるが、スカイダイビングなどのように、先ず自由降下状態で降下姿勢を制御して降下目標地点付近まで到達し、しかる後開傘して降下し、着地する。このような自由降下状態を訓練するため自由降下訓練用竪型風洞が使用されている。
【０００３】
図５は従来用いられている吹出式の自由降下模擬竪型風洞の一例を示す。同図において、風洞は円または多角形の外筒２１と内筒２２からなる。外筒２１は底部２３と頂板２４で覆われ、外筒２１と内筒２２間の空間は給気通路２５を形成する。給気通路２５は底部２３で水平となり、外筒２１、内筒２２の中心軸上に設けられた送風通路２６に接続する。送風通路２６の上部には自由降下模擬状態を実現する浮遊室２７が設けられ、この浮遊室２７の上部に排風通路２８が接続している。
【０００４】
給気通路２５の上部には給気口２９が設けられ、空気を吸入し消音器３０を通過して送風通路２６に流入する。送風通路２６には軸流竪型送風機３１が設けられ、吸入した空気を加速し浮遊室２７で浮遊者を浮遊させるに必要な速度にする。軸流竪型送風機３１の出口側には整流用ハニカム３２が設けられ、送風通路２６の出口には、落下防止用ネット３３が二重に張られている。浮遊室２７の頂部には吸引防止用ネット３４が設けられ浮遊者を保護している。排風通路２８は浮遊室２７から出た１本の垂直通路が上部で複数本、例えば６〜８本に分かれ、合計断面積を垂直路の６〜８倍にし、流速を１／６〜１／８にして出口に設けられた消音器３０が効果的に働くようにしている。
【０００５】
図６は回流式の自由降下模擬竪型風洞一例を示す図で、「油圧と空気圧」第２２巻第４号，平成３年７月号に記載されたものである。この風洞は風路の下部に電動機に直結したブロアを設け、その回転により空気を循環し、高速気流を発生させる。遊泳室は垂直部風路の中段付近に設けられている。風路はクロウズになっているので外部へ騒音が漏れ難いため消音器は設けられていない。
【０００６】
【発明が解決しようとする課題】
図５に示す吹出式風洞の場合、空気の供給通路２５が送風通路２６と排風通路２８を囲む２重構造となっており、通路の曲がりが多いため圧力損失が大きく、通路の構造も複雑となっている。また消音器３０を置く位置が限定されるため消音効率が悪かった。さらに浮遊室２７が送風機３１の騒音に直接晒されていた。また図６に示す回流式風洞の場合、外部に対する騒音が少ないので消音器は設けられていない。遊泳室はブロアの騒音に直接晒されている。また空気を循環するため高温になるので、冷却装置が必要となる。
【０００７】
本発明は、従来の風洞設備のかかる問題点に鑑みてなされたもので、▲１▼風路の配置を単純化し損失を少なくするとともに製作コストを逓減し、▲２▼消音器を効率の良い位置に配置して消音効率を高め、▲３▼訓練室の騒音を逓減する装置を提供することを目的とする。
【０００８】
【課題を解決するための手段】
上記目的を達成するため、請求項１の発明では、吸入側と吐出側に消音器を設けた横置型送風機と、吐出側消音器の出側に設けられ吐出される空気流を垂直に導くエルボ部と、このエルボ部からの空気流を絞って均一流とするレデューサ部と、このレデューサ部の上部に設けられ上方への空気流により訓練者を浮遊させる訓練室と、この訓練室の上部に設けられ訓練室からの排気を大気中に放出する排気部と、を備える。
【０００９】
通風路はＬ字型をしており、単純であるため圧損も少く、製作も容易であるため製作コストも安くなる。また消音器は騒音源となる送風機の吸い込み側と吐出側に設けられているので、効果的に消音することができる。訓練室には吐出側の消音器で消音された空気流が供給されるので、騒音が少ない。
【００１０】
請求項２の発明では、前記排気部は、頂部が覆われ側面周囲より排気を放出するルーバとなっている。
【００１１】
訓練室の上部を構成する排気部は、頂部が覆われ、側面周囲より空気を排出することにより雨が訓練室に入るのを防止できる。
【００１２】
【発明の実施の形態】
以下本発明の一実施形態について、図面を参照しつつ説明する。
図１は本実施形態の自由降下訓練用竪型風洞の構成を示す図であり、図２は図１のＸ−Ｘ矢視図、図３は図１のＹ−Ｙ矢視図で訓練室を示す図である。空気取入口１を有する吸気側消音器２が送風機装置３の吸気側に設けられている。送風機装置３は、電動機３ｃに直結した動翼３ａとこの動翼３ａの下流側に設けられた案内翼３ｂとを有する横置型の送風機と、この送風機を取付ける送風機ケーシング３ｄと、この送風機ケーシング３ｄの外周面に設けられた防音材３ｅとを備えている。
【００１３】
送風機装置３の吐出側には吐出側消音器４が設けられ、この吐出側消音器４の出口側にガイドベーン５ａにより空気流を垂直に導くエルボ部５が設けられている。このエルボ部５の出口側には、流れを絞って均一化するとともに流速を高めるレデューサ部６が接続されている。レデューサ部６は、例えば入側の径は５ｍΦで、出側の径は２．５ｍΦとなっている。レデューサ部６の上部には円筒形の訓練室７が接続されている。図３に示すようにレデューサ部６と訓練室７は同軸状に接続され、レデューサ部６より吹き上げる空気流により訓練者は遊泳する。訓練室７の径は例えば６ｍΦである。この吹き上げる空気流の流速は、例えば７０ｍ／ｓ程度である。なお、送風機の電動機３ｃは１０００〜１５００ｋｗの容量を有する。
【００１４】
訓練室７の上部には排出部８が設けられている。排出部８は円形状の形状で一旦絞った後、８角形の形状に広げた構造となっており、頂部には８角形の頂板８ａが設けられ、側面に設けられたルーバー９により空気を排出するようになっている。
【００１５】
図４は送風機の前後に設けられている消音器の構成を示す。本消音器はスプリッタ形サイレンサで、ダクト１１内に例えば１５０ｍｍの間隔で厚み１００ｍｍのスプリッタ１２を配置し、３流路が平行する形状となっている。スプリッタ１２には吸音材が入っている。ダクト１１を７．０×４．５ｍの角形、スプリッタ１２の長さを２．２ｍ前後にすることにより２７ｄＢの消音が可能である。
【００１６】
【発明の効果】
以上述べたように、本発明によれば、風路の配置を単純なＬ字型としているので圧損を少なくすることができ、さらに製作コストも少なくすることができる。また消音器を騒音発生源の送風機の前後に設けることにより消音効率を高めることができる。また消音器をこのような他と干渉などの少ない位置に設けることにより能力や機能などの設計段階における予測精度が向上し、適切な防音装置を設けることができる。さらに送風機と訓練室の間に消音器が設けられているので、訓練室の騒音を少なくすることができる。
【図面の簡単な説明】
【図１】本発明の自由降下訓練用風洞の構成を示す側面図である。
【図２】図１のＸ−Ｘ矢視図で平面図を表す。
【図３】図１のＹ−Ｙ矢視図で訓練室を表す。
【図４】消音器の構成の一例を示す図である。
【図５】従来の吹出式自由降下風洞の構成を示す図である。
【図６】従来の回流式自由降下風洞の構成を示す図である。
【符号の説明】
１  空気取入口
２  吸気側消音器
３  送風機装置
３ａ  動翼
３ｂ  案内翼
３ｃ  電動機
３ｄ  送風機ケーシング
３ｅ  防音材
４  吐出側消音器
５  エルボ部
５ａ  ガイドベーン
６  レデューサ部
７  訓練室
８  排出部
９  ルーバー
１１  ダクト
１２  スプリッタ
【図１】
0003865472.tif 000002
【図２】
0003865472.tif 000003
【図３】
0003865472.tif 000004
【図４】
0003865472.tif 000005
【図５】
0003865472.tif 000006
【図６】
0003865472.tif 000007